【事件の表示】
　平成１０年特許願第２０９４７９号「放射線画像情報読取装置」拒絶査定に対する審判事件［平成１２年　２月　８日出願公開、特開２０００−　３９６８２］について、次のとおり審決する。
【結　論】
　本件審判の請求は、成り立たない。
【理　由】
１．手続の経緯
　本願は、平成１０年７月２４日の出願であって、平成１４年６月２８日付けで拒絶査定がなされ、これに対して、同年８月１日に拒絶査定に対する審判請求がなされたものである。
　
２．本願発明
　本願の請求項１に係る発明は、特許請求の範囲に記載された次のとおりのものと認める（以下、「本願発明」という。）。
「放射線画像情報が蓄積記録された蓄積性蛍光体シートの一部に励起光を線状に照射するライン光源と、前記シートの線状に照射された部分から発光された輝尽発光光を受光して光電変換を行う、多数の光電変換素子が線状に配列されたラインセンサと、前記ライン光源および前記ラインセンサと前記シートとを相対的に移動させる走査手段と、前記走査手段による移動位置ごとに、前記ラインセンサを構成する前記各光電変換素子の出力信号を読み取る読取手段とを備えた放射線画像情報読取装置において、
　前記シートが、同一の被写体についての、放射線エネルギ吸収特性が互いに異なる２つの画像情報を蓄積記録してなるものであって、前記各画像情報に応じた２つの輝尽発光光をその表裏面から各別に発光しうる、放射線エネルギーサブトラクション用の蓄積性蛍光体シートであり、
　前記ラインセンサが、前記シートの両面側にそれぞれ各別に配設されると共に、各ラインセンサは、前記線状に配列された光電変換素子の列が、該光電変換素子の配列方向に対して直交する方向に、複数配列されたものであり、
　前記読取手段が、前記シートの両面から読み取られた画像情報を、該シートの表裏面の画素を対応させてサブトラクション処理する手段を備えたものであることを特徴とする放射線画像情報読取装置。」
　
３．引用刊行物
　これに対して、原査定の拒絶の理由に引用された、特開昭６１−２５１７９９号公報（以下、「刊行物１」という。）には、次の（ａ１）〜（ａ６）の事項が記載されている。
（ａ１）「（産業上の利用分野）
　本発明は輝尽性蛍光体を用いた放射線画像変換パネルに関するものであり、さらに詳しくは、エネルギーサブトラクション法に用いられる多層構造を有する放射線画像変換パネルに関するものである。」（第１頁左下欄第１８行〜右下欄３行）
（ａ２）「（発明の構成）
　本発明の目的は、支持体上に複数の輝尽性蛍光体層を有する蛍光体パネルに於て該蛍光体パネルは少なくとも一層の輝尽励起光遮断層を有しており、前記複数の輝尽性蛍光体層のうち、少なくとも一層に含有される輝尽性蛍光体の輝尽発光効率の放射線エネルギー依存性が、他の輝尽性蛍光体層に含有される輝尽性蛍光体の輝尽発光効率の放射線エネルギー依存性と異なっており、且つ前記複数の輝尽性蛍光体層のうち少なくとも一層は前記少なくとも一層の輝尽励起光遮断層によって他の輝尽性蛍光体層と分離して設けられていることを特徴とする蛍光体パネルによって構成される。
　第１図に本発明に則った実施態様例を示す。
　同図に於て１は支持体、３及び４は夫々前記した放射線エネルギー依存性の異る輝尽性蛍光体層、２は輝尽性励起光遮断層である。５は保護層である。」（第５頁左下欄第１６行〜右上欄１３行）　
（ａ３）「本発明の蛍光体パネルは、第２図に概略的に示される放射線画像変換方法に用いられた場合優れた放射線画像を与える。すなわち、第２図において１０は撮影部、２０は第１の輝尽性蛍光体層の放射線画像を読み取るための第１読み取り部、３０は第２の輝尽性蛍光体層の放射線画像を読み取るための第２読み取り部をそれぞれ示している。
　撮影部１０においては放射線源１０１から被写体１０２に向けて照射された放射線は被写体１０２を透過した後、蛍光体パネル１０３の第１の輝尽性蛍光体層１０４、第２の輝尽性蛍光体層１０５に吸収され、被写体の放射線画像が蓄積記録される。次いでこの蛍光体パネル１０３は第１読み取り部２０へ送られる。（第８頁左上欄第２０行〜右上欄１２行）
（ａ４）「第１読み取り部２０においては、読み取り光源２０１からの輝尽励起光２０２はガルバノミラー等の光偏向器により蛍光体パネル１０３の第１の輝尽性蛍光体層１０４上に一次元的に偏向されて、輝尽励起光遮断層１０６とは反対側から入射し、蛍光体パネル１０３が副走査されることにより、第１の輝尽性蛍光体層１０４の全面にわたって輝尽励起光２０２が照射される。このように輝尽励起光２０２が照射されると、蛍光体パネル１０３の第１の輝尽性蛍光体層１０４は、これに蓄積記録されている放射線エネルギーに比例する輝尽発光を発する。この発光は輝尽励起光２０２のみをカットするフィルター２０３を透過した後、光電変換器２０４に入射し、光電変換される。光電変換器２０４の出力は増幅器２０５によって増幅される。第１の輝尽性蛍光体層１０４の読み取りを終了した蛍光体パネル１０３は、第２読み取り部３０へ送られる。」（第８頁右上欄第１３行〜左下欄９行）
（ａ５）「第２読み取り部３０においては、第１読み取り部２０の場合と同様にして読み取り光源３０１からの輝尽励起光３０２はガルバノミラー等の光偏光器により蛍光体パネル１０３の第２の輝尽性蛍光体層１０５上に一次元的に偏向されて、輝尽励起光遮断層１０６とは反対側から入射し、放射線画像変換パネル１０３が副走査されることにより、第２の輝尽性蛍光体層１０５の全面にわたって輝尽励起光３０２が照射される。このように輝尽励起光３０２が照射されると、蛍光体パネル１０３の第２の輝尽性蛍光体層１０５は、これに蓄積記録されている放射線エネルギーに比例する輝尽発光を発し、この発光は輝尽励起光３０２のみをカットするフィルター３０３を透過した後、光電変換器３０４に入射し、光電変換され、増幅器３０５によって増幅される。」（第８頁左下欄第１０行〜右下欄４行）
（ａ６）「第１読み取り部２０の最終出力２０６および第２読み取り部３０の最終出力３０６は、それぞれ別々にハードコピーあるいはＣＲＴ等に可視画像として出力してもよいし、電気的に重ね合わせ処理あるいは減算処理等を施して１枚の可視画像としてハードコピーあるいはＣＲＴ等に出力してもよい。
　電気的処理としては例えば第１読み取り部２０の最終出力２０６及び第２読み取り部３０の最終出力３０６をそれぞれデジタル演算器に入力し、演算信号２０６´、３０６´とし、対応する画素間で電気的重ね合わせ或いは減算処理を施して抽出したい注目すべき画像を得ることができる。」（第８頁右下欄第５行〜１６行）
　上記（ａ１）〜（ａ６）の記載から、刊行物１には以下の発明が記載されているものと認められる。
「放射線画像情報が蓄積記録された蛍光体パネル（１０３）の一部に輝尽励起光（２０２、３０２）を照射する読み取り光源（２０１、３０１）と、前記パネル１０３の照射された部分から発光された輝尽発光光を受光して光電変換を行う光電変換器（２０４、３０４）と、を備え、前記輝尽励起光（２０２、３０２）が光偏向器により第１又は第２の輝尽蛍光体層（１０４、１０５）上を一次元的に偏向され、前記パネル１０３が副走査されることにより、第１又は第２の輝尽性蛍光体層の全面にわたって輝尽励起光（２０２、３０２）が照射され、前記光電変換器（２０４、３０４）の出力を読み取る読み取り手段を備えた放射線画像読み取り装置において、
　前記蛍光体パネル１０３は放射線エネルギー依存性の異なる２つの輝尽性蛍光体層（３、４、１０４、１０５）からなり、それぞれ同一被写体についての画像情報を蓄積記録してなるものであって、各画像情報に応じた２つの輝尽発光光を表裏面から各別に発光する放射線エネルギーサブトラクション用の輝尽性蛍光体層（３、４、１０４、１０５）であり、前記光電変換器（２０４、３０４）は前記パネルの表裏それぞれの面に対して各別に配設されるとともに、前記蛍光体層の両面から読み取られた画像情報を、対応する画素間で減算処理する手段を備えた放射線画像読み取り装置。」
　
　また、本願出願前に頒布された特開昭６２−２０８０４１号公報（以下、「刊行物２」という。）には以下の記載がある。
（ｂ１）「また上記の例で光検出器は、固体光電変換素子を多数１列に並べたラインセンサとされているが、本発明における光検出器はこれに限られるものではなく、固体光電変換素子を１つ有する点状センサとしてもよいし、固体光電変換素子を二次元的アレイ状に並べた面状センサとしてもよい。」（第４頁右上欄第１０行〜１５行）
　さらに、本願出願前に頒布された特開昭６４−３２３８７号公報（以下、「刊行物３」という。）には以下の記載がある。
（ｃ１）「輝尽光集光用ファイバアレイ１６ａ、１６ｂの各列はＩＰ３の主走査方向に複数個がアレイ状に配置されており、ラインセンサ１１には各ファイバに対応した個々の単位センサが配置されている。」（第２頁右下欄第７行〜１１行）
　また、原査定の拒絶の理由に引用された特開昭６１−６３１５２号公報（以下、「刊行物４」という。）には以下の記載がある。
（ｄ１）「また以上説明の実施態様においては、画像読取部がいわゆるラインセンサとして形成されているが、光電変換体、マイクロチャンネルプレート、検出器としてそれぞれ２次元的広がりを有するものを使用し、画像読取部をいわゆるエリアセンサとして形成することも勿論可能である。」（第４頁左下欄第１２行〜１７行）
　
４．対比
　本願発明と刊行物１に記載された発明とを比較すると、刊行物１に記載の「放射線画像読み取り装置」は、その機能・構成からして実質的に「放射線画像情報読取装置」ということができるものであり、また、刊行物１において「蛍光体パネル」を構成する「輝尽性蛍光体層（３、４、１０４、１０５）」は本願発明に係る「蓄積性蛍光体シート」に相当し 、また、刊行物１の「輝尽励起光２０２」、「光電変換器２０４」、「放射線エネルギー依存性」は、それぞれ本願発明に係る「励起光」、「センサ」、「放射線エネルギ吸収特性」に実質的に相当するから、結局、両者は、「放射線画像情報が蓄積記録された蓄積性蛍光体シートの一部に励起光を照射する光源と、前記シートに照射された部分から発光された輝尽発光光を受光して光電変換を行うセンサと、前記光源および前記センサと前記シートとを相対的に移動させる走査手段と、前記走査手段による移動位置ごとに、前記センサを構成する前記光電変換素子の出力信号を読み取る読取手段とを備えた放射線画像情報読取装置において、
　前記シートが、同一の被写体についての、放射線エネルギ吸収特性が互いに異なる２つの画像情報を蓄積記録してなるものであって、前記各画像情報に応じた２つの輝尽発光光をその表裏面から各別に発光しうる、放射線エネルギーサブトラクション用の蓄積性蛍光体シートであり、
　前記センサが、前記シートの両面側にそれぞれ各別に配設されると共に、
　前記読取手段が、前記シートの両面から読み取られた画像情報を、該シートの表裏面の画素を対応させてサブトラクション処理する手段を備えたものであることを特徴とする放射線画像情報読取装置。」である点で一致し、次の点で相違する。
［相違点１］
　本願発明では、光源として線状の励起光を出射するライン光源、及びセンサとして多数の光電変換素子が線状に配設されたラインセンサが用いられるのに対し、刊行物１のものでは、それぞれ励起光を出射する光源および光電変換素子からなるセンサを用いるものの、ライン型のものではない点。
［相違点２］
　本願発明では、ラインセンサは、線状に配列された光電変換素子の列が、該光電変換素子の配列方向に対して直交する方向に、複数配列されたものであるのに対し、刊行物１のものでは、その構成に関する記載がない点。
　
５．当審の判断
［相違点１について］
　放射線画像情報読取装置において、蓄積性蛍光体シートに蓄積された情報を効率的に読取るために、ライン光源とラインセンサを用いることは、本願出願前周知であり（例えば、刊行物２、刊行物４、特開昭６３−１２９３３５号公報を参照のこと）、そのようなライン光源、ラインセンサを放射線画像情報読取装置の光源およびセンサとして用い、相違点１の構成とすることは、当業者であれば適宜採用することができたものである。
［相違点２について］
　放射線画像読取装置において、ラインセンサとして、光電変換素子の列をその配列方向に対し直交する方向に複数並べたものを用いることは、上記刊行物２〜４に示唆されているように本願出願前周知であるから、そのようなラインセンサを放射線画像読取装置に適用し、相違点２の構成とすることは、当業者であれば適宜採用することができたものである。
　
　そして、請求人が主張する効果は、刊行物１の記載及び本願出願前周知の技術から、当業者であれば予測できる程度のもので、格別なものとはいえない。
　
６．むすび
　以上のとおりであるから、本願発明は、刊行物１に記載された発明及び周知の技術に基づいて、当業者が容易に発明することができたものであるから、特許法第２９条第２項の規定により特許を受けることができない。
　よって、結論のとおり審決する。